(57)【要約】【課題】底面と側面又は後面との隙間に紙等の薄い収容物が侵入してしまうことを防ぐ収納装置を提供することを目的とする。【解決手段】収納装置は、内部に収容物を収容可能な装置本体を有し、前記装置本体の側面または開口部に対向する面のいずれかの面は、前記装置本体の底面に接触し、該装置本体の内側に折れ曲がった折り曲げ部を有し、前記装置本体の底面の前記折り曲げ部近傍には、突出部が設けられている。【選択図】図５
2018012229.tif 000002
【特許請求の範囲】
【請求項１】
内部に収容物を収容可能な装置本体を有し、
前記装置本体の側面または開口部に対向する面のいずれかの面は、前記装置本体の底面に接触し、該装置本体の内側に折れ曲がった折り曲げ部を有し、
前記装置本体の底面の前記折り曲げ部近傍には、突出部が設けられている
収納装置。
【請求項２】
前記突出部は、前記装置本体の底面と前記折り曲げ部との隙間に、収容物が侵入することを防止するために設けられている請求項１記載の収納装置。
【請求項３】
前記突出部は、前記折り曲げ部の上面よりも前記装置本体の内側に突出している請求項１又は２記載の収納装置。
【請求項４】
前記突出部は、前記装置本体の底面を絞りによる凸形状にして形成される請求項１から３のいずれか記載の収納装置。
【請求項５】
前記突出部は、前記折り曲げ部近傍に複数形成される請求項１から４のいずれか記載の収納装置。
【請求項６】
前記突出部は、収容物の幅よりも短い間隔をあけて形成される請求項５記載の収納装置。
【請求項７】
前記突出部は、前記折り曲げ部近傍にビード状に形成される請求項１から４のいずれか記載の収納装置。
【請求項８】
前記突出部は、収容方向手前側の傾斜が前記折り曲げ部側の傾斜よりも緩やかである請求項１から７のいずれか記載の収納装置。
【発明の詳細な説明】
【技術分野】
【０００１】
本発明は、収納装置に関する。
【背景技術】
【０００２】
特許文献１には、筐体の内部を仕切り板（２）によって上下２段に区切り、上部空間（Ａ）には端末機器の本体を構成する電子回路パッケージからなるユニットを収容し、下部空間（Ｂ）にはプリンタ（７）を上部に搭載し連続帳票（８）を下部に収納した引き出し自在な棚板（５）を収容し、前記下部空間（Ｂ）に対応する前記筐体の前面は開閉自在の扉構造（１０）となし、該扉（１０）の前記プリンタ収容位置に対面する領域には、紙切断機構（１３）を具えた連続帳票取り出し口（１２）を設ける構成が記載されている。
【０００３】
特許文献２には、プリンタ装置が載置されるプリンタ載置台と、このプリンタ載置台に隣接し、プリンタ装置に供給する連続用紙が装填される用紙装填室と、この用紙装填室における用紙セット位置で連続用紙の端部を掛支し、用紙セット位置から供給準備位置に移動して連続用紙端部をプリンタ装置に装着可能な位置に延出させる構成が記載されている。
【先行技術文献】
【特許文献】
【０００４】
【特許文献１】特開平０４−１９５３１３号公報
【特許文献２】特開平０８−０６７０５０号公報
【発明の概要】
【発明が解決しようとする課題】
【０００５】
本発明は、底面と側面又は後面との隙間に紙等の薄い収容物が侵入してしまうことを防ぐ収納装置を提供することを目的とする。
【課題を解決するための手段】
【０００６】
請求項１に係る本発明は、内部に収容物を収容可能な装置本体を有し、前記装置本体の側面または開口部に対向する面のいずれかの面は、前記装置本体の底面に接触し、該装置本体の内側に折れ曲がった折り曲げ部を有し、前記装置本体の底面の前記折り曲げ部近傍には、突出部が設けられている収納装置である。
【０００７】
請求項２に係る本発明は、前記突出部は、前記装置本体の底面と前記折り曲げ部との隙間に、収容物が侵入することを防止するために設けられている請求項１記載の収納装置である。
【０００８】
請求項３に係る本発明は、前記突出部は、前記折り曲げ部の上面よりも前記装置本体の内側に突出している請求項１又は２記載の収納装置である。
【０００９】
請求項４に係る本発明は、前記突出部は、前記装置本体の底面を絞りによる凸形状にして形成される請求項１から３のいずれか記載の収納装置である。
【００１０】
請求項５に係る本発明は、前記突出部は、前記折り曲げ部近傍に複数形成される請求項１から４のいずれか記載の収納装置である。
【００１１】
請求項６に係る本発明は、前記突出部は、収容物の幅よりも短い間隔をあけて形成される請求項５記載の収納装置である。
【００１２】
請求項７に係る本発明は、前記突出部は、前記折り曲げ部近傍にビード状に形成される請求項１から４のいずれか記載の収納装置である。
【００１３】
請求項８に係る本発明は、前記突出部は、収容方向手前側の傾斜が前記折り曲げ部側の傾斜よりも緩やかである請求項１から７のいずれか記載の収納装置である。
【発明の効果】
【００１４】
請求項１に係る本発明によれば、底面と側面又は後面との隙間に紙等の薄い収容物が侵入してしまうことを防ぐ収納装置を提供することができる。
【００１５】
請求項２に係る本発明によれば、底面と側面又は後面との隙間に紙等の薄い収容物が侵入してしまうことを防ぐ収納装置を提供することができる。
【００１６】
請求項３に係る本発明によれば、底面と側面又は後面との隙間に紙等の薄い収容物が侵入してしまうことを防ぐ収納装置を提供することができる。
【００１７】
請求項４に係る本発明によれば、収容物を傷つけずに収容する収納装置を提供することができる。
【００１８】
請求項５に係る本発明によれば、幅の狭い収容物に対しても、底面と側面又は後面との隙間に紙等の薄い収容物が侵入してしまうことを防ぐ収納装置を提供することができる。
【００１９】
請求項６に係る本発明によれば、幅の狭い収容物に対しても、底面と側面又は後面との隙間に紙等の薄い収容物が侵入してしまうことを防ぐ収納装置を提供することができる。
【００２０】
請求項７に係る本発明によれば、幅の狭い収容物に対しても、底面と側面又は後面との隙間に紙等の薄い収容物が侵入してしまうことを防ぐ収納装置を提供することができる。
【００２１】
請求項８に係る本発明によれば、収容物を傷つけずに収容する収納装置を提供することができる。
【図面の簡単な説明】
【００２２】
【図１】本発明の一実施形態に係る収納装置１０の概略構成を説明するための図である。
【図２】本発明の一実施形態に係る収納装置１０を説明するための斜視図である。
【図３】本発明の一実施形態に係る収納装置１０を説明するための縦断面図である。
【図４】本発明の一実施形態に係る収納装置１０に用いられる突出部３０を説明するための斜視図である。
【図５】本発明の一実施形態に係る収納装置１０に用いられる突出部３０を説明するための縦断面図である。
【図６】本発明の比較例に係る収納装置を説明するための縦断面図である。
【図７】本発明の一実施形態に係る収納装置１０に用いられる突出部３０を説明するための上面図である。
【図８】本発明の第２の実施形態に係る突出部４０を説明するための縦断面図である。
【図９】本発明の第３の実施形態に係る突出部５０を説明するための斜視図である。
【発明を実施するための形態】
【００２３】
次に、本発明を実施するための一形態を図面を参照して説明する。
図１は本実施の形態が適用される収納装置１０の上面に画像形成装置１２が搭載された状態を示す図である。図２は、収納装置１０の斜視図を示す図である。
【００２４】
画像形成装置１２は、記録媒体を順次搬送して画像を形成する画像形成部と、スキャンによって記録媒体の画像を読み取る画像読取部と、から構成されている。
【００２５】
収納装置１０は、箱形状の装置本体１４と、装置本体１４の前面側に設けられ、該装置本体１４に対して開閉自在な開閉部１６と、から構成されている。装置本体１４は、内部に収容物としての記録媒体Ｐ等を収容可能であり、装置本体１４に対して開閉部１６を開閉することにより、開口部を介して収納装置１０内に記録媒体Ｐ等が出し入れされる。
【００２６】
装置本体１４は、底面板１８と、底面板１８に対向して設けられ、上面に画像形成装置１２が搭載される上面板２０と、底面板１８に対して上面板２０を支持する側面板２２，後面板２４，側面板２５と、で構成されている。側面板２２と側面板２５は対向した位置に設けられている。後面板２４は、開閉部１６（開口部）に対して対向した位置に設けられている。
【００２７】
後面板２４は、装置本体１４の内側に折り曲げられた折り曲げ部２６を有する。
【００２８】
図３（ａ）は、本実施形態に係る収納装置１０の折り曲げ部２６周辺の構成を示した図である。また、図３（ｂ）は、本実施形態に係る収納装置１０の比較例として、折り曲げ部２６を有していない構成を示した図である。
【００２９】
図３（ａ）に示すように、本実施形態に係る収納装置１０は、折り曲げ部２６が装置本体１４内側に折り曲がって、底面板１８に接触されて上面板２０を支持している。後面板２４は、この折り曲げ部２６を有することで、水平方向への断面係数を高めることにより、座屈に対する剛性が確保されている。
【００３０】
一方、図３（ｂ）に示す比較例では、後面板２４が折り曲げ部２６を有さずに、装置本体１４の後面側で底面板１８に接触されて上面板２０を支持している。すなわち、本比較例に係る構成によれば、図３（ａ）に示す本実施形態に係る折り曲げ部２６を有する構成に比べて水平方向の断面係数が小さく、座屈に対する剛性が確保されずに、上面からの荷重を受けることによりたわみの影響を受け易く倒れやすい。
【００３１】
すなわち、本実施形態に係る収納装置１０は、折り曲げ部２６を有することにより、折り曲げ部２６を有さない構成と比べて上面板２０側からの荷重に耐えることができ、倒れにくくなる。
【００３２】
底面板１８には、装置本体１４内側に突出した突出部３０が複数設けられている。突出部３０は、折り曲げ部２６の記録媒体Ｐの収容方向手前側の折り曲げ部２６の近傍に設けられている。
【００３３】
図４は、突出部３０周辺の斜視断面図を示している。
【００３４】
突出部３０は、底面板１８を端面のない絞りにより変形して形成された凸形状であって、底面板１８を装置本体１４内側に例えば円形状に絞り加工して形成されている。突出部３０は、底面板１８から装置本体１４内側に突出した円形状の平面部３０ａと、底面板１８から平面部３０ａに向けて傾斜した傾斜部３０ｂと、を有する。突出部３０の高さＴ２は、折り曲げ部２６の高さＴ１よりも高く、突出部３０は、折り曲げ部２６の上面よりも装置本体１４内側に突出している。また、平面部３０ａと傾斜部３０ｂとの接続面は角取されている。
【００３５】
図５は、本実施形態に係る収納装置１０内に記録媒体Ｐを収容する様子を示した図である。また、図６は、本実施形態に係る収納装置１０の比較例として、突出部３０が設けられていない収納装置内に記録媒体Ｐを収容する様子を示した図である。
【００３６】
図６に示すように、底面板１８と後面板２４の折り曲げ部２６との間には隙間Ｓが形成され、開口部から収容された記録媒体Ｐは、収納装置内に収容されずに隙間Ｓに侵入し、隙間Ｓに挟まってしまったり、隙間Ｓを介して装置外に飛び出してしまう場合がある。本実施形態では、図５に示すように、底面板１８の折り曲げ部２６の近傍に、折り曲げ部２６の上面よりも装置本体１４内側に突出した突出部３０が設けられており、開口部から収容された記録媒体Ｐは、突出部３０の傾斜部３０ｂと平面部３０ａに受け流されて、隙間Ｓに侵入することが防止され、収納装置１０内に収容される。突出部３０は、端面のない絞りによる凸形状であり、収納装置１０内に収容される記録媒体Ｐは、突出部３０と擦れて摩耗したり、破れたり等、傷がつくのを効果的に抑制できる。
【００３７】
図７は、突出部３０周辺を上面から見た図を示している。
【００３８】
突出部３０は、一定の間隔Ｌで折り曲げ部２６と並列して形成されている。また、突出部３０間の間隔Ｌは、収容されうる最小の記録媒体Ｐの幅Ｗよりも短く形成され、収容される記録媒体Ｐが、突出部３０間を通過して、底面板１８と折り曲げ部２６との隙間Ｓに侵入されないように形成されている。
【００３９】
図８は、本発明の第２の実施形態に係る突出部４０周辺の断面図である。
【００４０】
突出部４０は、底面板１８を端面のない絞りにより変形して形成された凸形状であって、底面板１８を装置本体１４内側に絞り加工して形成されている。突出部４０は、折り曲げ部側２６に形成される傾斜面４０ａと、開口部側に形成される傾斜面４０ｂから構成される。傾斜面４０ａと傾斜面４０ｂとは、傾斜角度が異なっており、折り曲げ部２６側の傾斜面４０ａに比べて開口部側の傾斜面４０ｂが緩やかに形成されている。また、突出部４０の高さＴ３は、折り曲げ部２６の高さＴ１よりも高く、突出部４０は、折り曲げ部２６の上面よりも装置本体１４内側に突出している。突出部４０は、折り曲げ部２６の収容方向手前側の折り曲げ部２６の近傍に並列して複数又は連続して設けられている。開口部側である記録媒体Ｐの収容方向手前側の傾斜を緩やかに形成することにより、開口部から収容された記録媒体Ｐは、突出部４０の傾斜面４０ｂと傾斜面４０ａに受け流されて、記録媒体Ｐを傷つけずに収納装置１０内に収容される。
【００４１】
図９は、本発明の第３の実施形態に係る突出部５０周辺の斜視図である。
【００４２】
突出部５０は、底面板１８を端面のない絞りによりビード状に変形して形成された凸形状であって、底面板１８を装置本体１４内側にビード形状に絞り加工して形成されている。突出部５０は、曲面状の傾斜面５０ａで構成される。突出部５０の高さＴ４は、折り曲げ部２６の高さＴ１よりも高く、突出部５０は、折り曲げ部２６の上面よりも装置本体１４内側に突出している。突出部５０は、折り曲げ部２６の収容方向手前側の折り曲げ部２６の近傍に並列して設けられている。開口部から収容された記録媒体Ｐは、突出部５０に受け流されて、記録媒体Ｐを傷つけずに収納装置１０内に収容される。
【００４３】
以上、上述した実施形態に限らず、突出部の形状は傾斜面（傾斜部）を有し、突出部が、折り曲げ部２６の上面よりも装置本体１４内側に突出していればよい。
【００４４】
また、本実施形態においては、装置本体１４の底面板１８を装置本体内側に絞りにより突出させる構成について説明したが、これに限らず、底面板１８の折り曲げ部２６近傍に折り曲げ部２６の上面よりも装置本体１４内側に突出した突起等を装着するようにしてもよい。
【００４５】
また、本実施形態においては、突出部３０，４０，５０の高さを、折り曲げ部２６の高さより高くする構成について説明したが、これに限らず、突出部３０，４０，５０の高さと折り曲げ部２６の高さが同じであってもよい。
【００４６】
また、本実施形態においては、底面板１８の開閉部１６（開口部）に対向する後面板２４の折り曲げ部２６近傍に突出部３０，４０，５０を設ける構成について説明したが、これに限らず、側面板２２，２５の折り曲げ部近傍に設けてもよく、また、底面板１８の少なくとも１辺に設ければよく、３辺全てに設けてもよい。
【００４７】
また、本実施形態においては、底面板１８の折り曲げ部２６近傍に突出部３０，４０，５０を設ける構成について説明したが、これに限らず、折り曲げ部２６を有さないで、底面板１８の側面板２２，後面板２４、側面板２５との接触部に隙間が形成される構成にも適用され、この接触部近傍に設けてもよく、また、底面板１８の少なくとも１辺に設ければよく、３辺全てに設けてもよい。
【００４８】
また、本実施形態においては、底面板１８の折り曲げ部２６近傍に突出部３０，４０，５０を設ける構成について説明したが、これに限らず、底面板１８の開口部近傍に設けてもよい。
【符号の説明】
【００４９】
１０・・・収納装置
１２・・・画像形成装置
１４・・・装置本体
１６・・・開閉部
１８・・・底面板
２０・・・上面板
２２，２５・・・側面板
２４・・・後面板
２６・・・折り曲げ部
３０，４０，５０・・・突出部
Ｐ・・・・記録媒体（収容物）
【図１】
2018012229.tif 000003
【図２】
2018012229.tif 000004
【図３】
2018012229.tif 000005
【図４】
2018012229.tif 000006
【図５】
2018012229.tif 000007
【図６】
2018012229.tif 000008
【図７】
2018012229.tif 000009
【図８】
2018012229.tif 000010
【図９】
2018012229.tif 000011